(57)【要約】【課題】  ダンパベースから突出したサスペンションワイヤの一端のフォーカシング方向の変位を十分に抑制することができる光ピックアップアクチュエータを提供する。【解決手段】  可動部１１を揺動可能に支持するための複数のサスペンションワイヤ１２ａと、後壁を有し、前記複数のサスペンションワイヤを挿通させてその一端を前記後壁から突出させた状態で、前記サスペンションワイヤの振動を抑制するように保持するダンパベース１３ａとを備える光ピックアップアクチュエータに、ダンパベースと一体に形成された固定部材２１ａ及び端部支持部材２２ａを設ける。固定部材は後壁の中央上方に位置し、端部支持部材は後壁に対して距離を置いて平行となるように、固定部材から下方に伸び左右に分かれている。支持固定部材は、複数のサスペンションワイヤの一端を、ダンパベースの後壁から離れた箇所で支持固定する。【選択図】  図３
2008287876.tif 000002
【特許請求の範囲】
【請求項１】
可動部を揺動可能に支持するための複数のサスペンションワイヤと、
後壁を有し、前記複数のサスペンションワイヤを挿通させてその一端を前記後壁から突出させた状態で、前記サスペンションワイヤの振動を抑制するように保持するダンパベースと、
前記複数のサスペンションワイヤの一端を、前記ダンパベースの後壁から離れた箇所で支持固定する絶縁性弾性体からなる端部支持部材と、
前記端部支持部材を前記ダンパベースの後壁に対して距離を置いて平行となるように支持する固定部材とを備え、
前記固定部及び前記端部支持部材は前記ダンパベースと一体に形成され、前記固定部材は前記後壁の中央部上方に位置し、前記端部支持部材は前記固定部材から下方に伸び左右に分かれていることを特徴とする光ピックアップアクチュエータ。
【請求項２】
請求項１に記載された光ピックアップアクチュエータにおいて、
前記複数のサスペンションワイヤに電気的に接続される配線が形成され、前記端部支持部材の少なくとも一部に重ねられて配置される可撓性配線基板と備えていることを特徴とする光ピックアップアクチュエータ。
【請求項３】
請求項１又は２に記載された光ピックアップアクチュエータを備えたことを特徴とする光ピックアップ。
【請求項４】
請求項３に記載された光ピックアップを備えたことを特徴とする光ディスクドライブ。
【発明の詳細な説明】
【技術分野】
【０００１】
本発明は、光ディスクドライブに用いられる光ピックアップアクチュエータに関し、特に、そのサスペンションワイヤの不要振動抑制に関する。
【背景技術】
【０００２】
光ディスクドライブは、ＣＤ（オーディオＣＤ，ＣＤ−Ｒ，ＣＤ−ＲＷ，ＣＤ−ＲＯＭ）やＤＶＤ（ＤＶＤ−ＲＯＭ，ＤＶＤ−ＲＡＭ，ＤＶＤ±ＲＷ）といった光ディスクに記録された情報を読み出し、また、書き込み可能な光ディスクに対して情報を書き込むための装置である。そのため、光ディスクドライブは、光ディスクにレーザビームを照射し、その反射光を検出するための光ピックアップを備えている。
【０００３】
光ピックアップは、光ディスクの径方向に移動可能に設けられる光学ベースと、この光学ベースに搭載される発光部、受光部及び光学系を含む。また、光学系は、発光部からのレーザビームを光ディスク上に集光し、また、その反射光を受光部へと導くために、光ディスクに対向配置される対物レンズを備えている。
【０００４】
光ディスクのトラック上にレーザビームを正確に集光させるために、即ち、対物レンズのフォーカシング制御及びトラッキング制御を行うために、対物レンズを上下左右方向に変位させる光ピックアップアクチュエータが用いられる。
【０００５】
従来の光ピックアップアクチュエータは、図１に示すように、対物レンズ（図示せず）を保持するための可動部１１と、この可動部１１を上下左右方向（フォーカシング方向Ｆ及びトラッキング方向Ｔ）に変位可能に支持する４本の導電性サスペンションワイヤ１２と、サスペンションワイヤ１２を挿通させてその一端を後壁から突出させた状態で制振支持する絶縁性のダンパベース１３と、ダンパベース１３の後壁に固定ネジ１４により固定された基板１５と、基板１５から両側方へ延びてサスペンションワイヤ１２の一端にそれぞれ半田により接続固定される伝導板１６とを有している。伝導板１６は基板１５内に形成された接続線（図示せず）を介して可撓性配線基板であるフレキシブルプリントサーキット（ＦＰＣ）１７に接続される。
【０００６】
光ピックアップアクチュエータは、さらに、図示しないアクチュエータベースと電磁装置とを含む。ダンパベース１３と電磁装置に含まれるマグネットとはアクチュエータベースに固定され、電磁装置に含まれるコイルは可動部１１に設けられてサスペンションワイヤ１２に電気的に接続される。
【０００７】
以上の構成において、ＦＰＣ１７、伝導板１６及びサスペンションワイヤ１２を介して電磁装置のコイルに電流が供給されると、コイルとマグネットとの間に働く電磁力により、可動部１１は上下及び／又は左右方向に駆動される。これにより可動部１１に保持される対物レンズの光ディスクのトラックに対する位置が変化し、フォーカシング制御及びトラッキング制御が実現される。
【０００８】
フォーカシング制御及びトラッキング制御の際に生じるサスペンションワイヤ１２の振動を抑制吸収するために、ダンパベース１３の前方は開放され内部にはゲル状の制振材（図示せず）が充填されている。それゆえ、サスペンションワイヤ１２の振動は、ダンパベース１３の後壁に接する部分を支点としたものになる。その結果、サスペンションワイヤ１２の振動は、ダンパベース１３の後壁から突出したサスペンションワイヤ１２の一端をも変位させる。伝導板１６は、このサスペンションワイヤ１２の軸方向の剛性を小さくしてピッチング共振又はヨーイング共振の周波数を下げるように、弾性を有する金属板あるいは導電性弾性体などが用いられている（例えば、特許文献１参照。）。
【０００９】
【特許文献１】特開２００３−２７２１９４号公報（特に、図１及び図２）
【発明の開示】
【発明が解決しようとする課題】
【００１０】
光ピックアップアクチュエータでは、そのフォーカシング制御の際に対物レンズの中心位置が変位しないように、即ち、中点位置変位やダイナミックチルト特性の低下がないように、ダンパベースの後壁から突出するサスペンションワイヤの一端をフォーカシング方向に変位しないようにすることが望まれる。
【００１１】
しかしながら、従来の光ピックアップアクチュエータは、トラッキング方向に細長く延びる形状の導電性の材料からなる４個の伝導板を４本のサスペンションワイヤに各々対応するように用いているため、４個の伝導板が単独で動く構造であり上述したフォーカシング制御の際に対物レンズの中心位置が変位しダイナミックチルト特性の低下等を生じるという問題点がある。
【００１２】
そこで、本発明は、サスペンションワイヤの軸方向の剛性を小さくしてピッチング共振又はヨーイング共振の周波数を下げ、且つダンパベースから突出したサスペンションワイヤの一端のフォーカシング方向の変位を十分に抑制することができる光ピックアップアクチュエータを提供することを目的とする。
【課題を解決するための手段】
【００１３】
本発明によれば、可動部（１１）を揺動可能に支持するための複数のサスペンションワイヤ（１２ａ）と、後壁を有し、前記複数のサスペンションワイヤ（１２ａ）を挿通させてその一端を前記後壁から突出させた状態で、前記サスペンションワイヤ（１２ａ）の振動を抑制するように保持するダンパベース（１３ａ）と、前記複数のサスペンションワイヤ（１２ａ）の一端を、前記ダンパベース（１３ａ）の後壁から離れた箇所で支持固定する絶縁性弾性体からなる端部支持部材（２２ａ）と、前記端部支持部材（２２ａ）を前記ダンパベース（１３ａ）の後壁に対して距離を置いて平行となるように支持する固定部材（２１ａ）とを備え、前記固定部材（２１ａ）及び前記端部支持部材（２２ａ）は前記ダンパベースと一体に形成され、前記固定部材（２１ａ）は前記後壁の中央上方に位置し、前記端部支持部材（２２ａ）は前記固定部材（２１ａ）から下方に伸び左右に分かれていることを特徴とする光ピックアップアクチュエータが得られる。
【００１４】
なお、上記カッコ内の数字は、単に本発明の理解を容易にするために用いられており、何ら本発明を限定するものではない。
【発明の効果】
【００１５】
本発明によれば、サスペンションワイヤの一端をダンパベースの後壁から離れた箇所で支持固定する絶縁性弾性体からなる端部支持部材を設けたことで、複数のサスペンションワイヤを端部支持部材で共通に支持固定することができる。これにより、サスペンションワイヤの軸方向の剛性をより小さくしてピッチング共振又はヨーイング共振の周波数を下げ、且つダンパベースの後壁から突出するサスペンションワイヤの一端のフォーカス方向の変位を十分に抑制することができる。また、フォーカシング時の中点位置変位及びダイナミックチルト特性の低下を抑制でき、トラッキング時の不要振動を吸収抑制することができる。さらに部品点数を削減することもできる。
【発明を実施するための最良の形態】
【００１６】
以下、図面を参照して本発明の実施の形態について説明する。
【００１７】
まず、図２を参照して参考例に係る光ピックアップアクチュエータについて説明する。図２において、従来と同一のものには同一の参照符号を付してある。
【００１８】
図２の光ピックアップアクチュエータは、従来と同様、可動部１１、４本のサスペンションワイヤ１２、ダンパベース１３、及び図示しないアクチュエータベースと電磁装置とを有している。
【００１９】
また、この光ピックアップアクチュエータは、ダンパベース１３の後壁に固定ネジ１４により固定される固定部材２１と、この固定部材２１から両側方へ突出する一対の端部支持部材（略耳状部材）２２と、その一部が端部支持部材２２に重ねられるフレキシブルプリントサーキット（ＦＰＣ）２３とを有している。
【００２０】
固定部材２１は、絶縁性材料からなる長方形の板状で、その中央部に固定ネジ１４を挿通させるためのネジ穴が形成されている。従来の基板１５とは異なり、固定部材２１は、その内部に接続線を持たない。この固定部材２１は、固定ネジ１４によりダンパベース１３の後壁の中央部に固定される。そして、固定部材２１は、その両側から突出する端部支持部材２２をダンパベース１３の後壁に対し、距離を置いて略平行となるように支持する。これにより、端部支持部材２２とダンパベース１３との間には、所定の隙間が形成される。
【００２１】
端部支持部材２２は、例えば液晶ポリマー、ナイロン及びポリカーボネイト等の、絶縁性弾性体より構成される。この端部支持部材２２は、固定部材２１と一体成形されてもよい。各端部支持部材２２には、ダンパベース１３の後壁から突出するサスペンションワイヤ１２の一端を、挿入するための穴２２１が２個形成されている。サスペンションワイヤ１２の一端は、この穴２２１に挿入、固定され、ダンパベース１３の後壁より離れた箇所で端部支持部材２２により支持される。
【００２２】
ＦＰＣ２３は、端部支持部材２２と同様に、サスペンションワイヤ１２の一端を挿通させるための穴２３１を有している。そして、ＦＰＣ２３は、少なくともその穴２３１の周辺部を端部支持部材２２に重ねることができる形状を有している。本参考例では、ＦＰＣ２３は、端部支持部材２２と同一形状の部分を有している。サスペンションワイヤ１２の一端は、端部固定部材２２の穴２２１を通してＦＰＣ２３の穴２３１に挿入され、ＦＰＣ２３に形成された配線に、例えば半田を用いて、電気的に接続される。なお、サスペンションワイヤ１２の端部支持部材２２への機械的固定は、このＦＰＣ２３への電気的接続（及び機械的固定）と同時に同一工程により行われてよい。
【００２３】
上記構成を有する光ピックアップアクチュエータの動作は、従来のものとほぼ同じである。即ち、図示しないコイルと磁石との間に働く電磁力により可動部１１が上下方向（フォーカシング方向Ｆ）及び／又は左右（トラッキング方向Ｔ）に変位する。このとき、サスペンションワイヤ１２は、ダンパベース１３の後壁で支持された点を支点として振動する。その結果、ダンパベース１３の後壁から突出したのサスペンションワイヤ１２の一端も変位する。端部支持部材２２は、サスペンションワイヤ１２の軸方向の剛性を小さくしてピッチング共振又はヨーイング共振の周波数を下げ、且つこのサスペンションワイヤ１２のフォーカシング方向の一端の変位を抑制、吸収する。ここで、端部支持部材２２のフォーカス方向Ｆの幅は、従来の伝導板１６の幅に比べて大きい。これは、端部支持部材２２を絶縁性材料で構成することで、上下の２本のサスペンションワイヤを単一の端部支持部材２２で支持固定できるようにしたからである。このように端部支持部材２２は、上下２本のサスペンションワイヤを単一で支持固定できるようにしたので、サスペンションワイヤ１２と一対一対応の従来の伝導板１６に比べてフォーカス方向へ単独で変位し難く、それによって、サスペンションワイヤの１２の一端のフォーカス方向Ｆの変位を十分に抑制しフォーカス制御の際の対物レンズの中点位置変位が生じることがなくダイナミックチルト特性の低下を防止することができる。
【００２４】
次に、本発明の一実施の形態について図３を参照して説明する。
【００２５】
図３の光ピックアップアクチュエータは、ダンパベース１３ａと一体的に形成された固定部材２１ａ及び端部支持部材２２ａを有している。
【００２６】
固定部材２１ａは、ダンパベース１３ａの後壁の中央部上方に位置し、端部支持部材２２ａがダンパベース１３ａの後壁に対し距離を置いて略平行となるように端部支持部材２２ａを支持する。端部支持部材２２ａは、固定部材２１ａから下方へ延び、左右に分かれている。
【００２７】
参考例と同様、本実施の形態においても、サスペンションワイヤ１２ａに電気的に接続される配線が形成されたＦＰＣ（図示せず）が、端部支持部材２２ａに重ねて配置される。サスペンションワイヤ１２ａは、端部支持部材２２ａ及びＦＰＣに形成された穴に挿入され、端部支持部材２２ａに固定され、また、ＦＰＣの配線に電気的に接続される。
【００２８】
本実施の形態においても、端部支持部材２２を上下２本のサスペンションワイヤを単一で支持固定できるようにしたので、サスペンションワイヤ１２と一対一対応の従来の伝導板１６に比べてフォーカス方向へ単独で変位し難く、サスペンションワイヤ１２ａの端部の変位を十分に抑制することができる。その結果、本実施の形態に係る光ピックアップアクチュエータは、フォーカシング時の中点位置変位及びダイナミックチルト特性の低下を抑制でき、トラッキング時の不要振動を吸収抑制することができる。また、部品点数を減少させることができる。
【００２９】
また、本実施例は、端部支持部材２２ａを固定部材２１ａから下方へ延び、左右に分かれる構造とすることで、サスペンションワイヤ１２ａの軸方向の剛性を更に小さくでき、ピッチング共振又はヨーイング共振の周波数を更に下げることができる。
【００３０】
本実施の形態に係る光ピックアップアクチュエータは、公知の構成を持つ光ピックアップに適用することができる。また、上記光ピックアップアクチュエータが適用された光ピックアップは、公知の構成を持つ光ディスクドライブに適用することができる。
【図面の簡単な説明】
【００３１】
【図１】従来の光ピックアップアクチュエータの分解斜視図である。
【図２】参考例に係る光ピックアップアクチュエータの分解斜視図である。
【図３】本発明の一実施の形態に係る光ピックアップアクチュエータの斜視図である。
【符号の説明】
【００３２】
１１    可動部
１２，１２ａ    サスペンションワイヤ
１３，１３ａ    ダンパベース
１４    固定ネジ
１５    基板
１６    伝導板
１７    プリントケーブル
２１，２１ａ    固定部材
２２，２２ａ    端部支持部材
２２１    穴
２３    フレキシブルプリントケーブル
２３１    穴
【図１】
2008287876.tif 000003
【図２】
2008287876.tif 000004
【図３】
2008287876.tif 000005